(57)【要約】【課題】音声応答の不快感を解消することができ、近傍の別のＦＡＸ装置の存在に基づく誤動作を解消することができるようにする。【解決手段】本発明のファクシミリ装置は、応答メッセージ再生手段から再生出力される応答メッセージ信号に対して所定の周波数帯域成分を阻止する帯域阻止フィルタ手段と、応答メッセージ再生手段から再生出力される応答メッセージ信号を透過する透過フィルタ手段と、帯域阻止出力信号及び透過出力信号のそれぞれの振幅を調整し、調整後の帯域阻止出力信号及び透過出力信号を加算して出力する重み調整手段と、着信信号からファクシミリ制御信号を検出するファクシミリ制御信号検出手段と、応答メッセージ再生手段の応答メッセージ信号の再生出力後、ファクシミリ制御信号検出手段のファクシミリ制御信号検出結果に応じて、ファクシミリ処理制御手段と受信メッセージ録音手段との切替制御を行う制御手段とを備えることを特徴とする。【選択図】      図１
2009033339.tif 000002
【特許請求の範囲】
【請求項１】
予め設定された応答メッセージ信号を再生出力する応答メッセージ再生手段と、
上記応答メッセージ再生手段から再生出力される上記応答メッセージ信号に対して、所定の周波数帯域成分を阻止する帯域阻止フィルタ手段と、
上記応答メッセージ再生手段から再生出力される上記応答メッセージ信号を透過する透過フィルタ手段と、
上記帯域阻止フィルタ手段からの帯域阻止出力信号及び上記透過フィルタ手段からの透過出力信号のそれぞれの振幅を調整し、調整後の上記帯域阻止出力信号及び上記透過出力信号を加算して出力する重み調整手段と、
着信信号からファクシミリ制御信号を検出するファクシミリ制御信号検出手段と、
所定のファクシミリ処理を制御するファクシミリ処理制御手段と、
受信音声メッセージを録音する受信メッセージ録音手段と、
上記応答メッセージ再生手段の上記応答メッセージ信号の再生出力後、上記ファクシミリ制御信号検出手段のファクシミリ制御信号検出結果に応じて、上記ファクシミリ処理制御手段と上記受信メッセージ録音手段との切替制御を行う制御手段と
を備えることを特徴とするファクシミリ装置。
【請求項２】
上記帯域阻止フィルタ手段が阻止する周波数帯域成分が、ファクシミリ制御信号が占める周波数帯域成分付近の周波数帯域成分であることを特徴とする請求項１に記載のファクシミリ装置。
【請求項３】
上記重み調整手段は、制御手段が上記受信メッセージ録音手段への切替制御を行う場合、上記帯域阻止出力信号及び上記透過出力信号のそれぞれの振幅に乗算する重みを時間的に変化させることを特徴とする請求項１又は２に記載のファクシミリ装置。
【請求項４】
上記重み調整手段は、所定の初期時間では上記帯域阻止出力信号の割合が多くなるように調整し、上記所定の初期時間経過後では上記透過出力信号の割合が多くなるように調整することを特徴とする請求項３に記載のファクシミリ装置。
【請求項５】
音を捕捉して音信号として出力する音捕捉手段と、
上記音捕捉手段から出力される上記音信号及び上記帯域阻止フィルタ手段からの上記帯域阻止出力信号に基づいて、所定の検出方法により、上記音捕捉手段からの上記音信号の中にファクシミリ制御信号が背景的に含まれていることを検出する信号検出手段と
を備え、
上記制御手段が、上記信号検出手段の検出結果に応じて、上記ファクシミリ制御信号検出手段の動作を制御することを特徴とする請求項１〜４のいずれかに記載のファクシミリ装置。
【請求項６】
上記信号検出手段が、上記音捕捉手段からの上記音信号に上記ファクシミリ制御信号を検出し、かつ、上記帯域阻止フィルタ手段の入力信号レベル及び出力信号レベルに基づく入出力信号レベル比が閾値を超えている場合、上記音信号の中に上記ファクシミリ制御信号が含まれていると判断することを特徴とする請求項５に記載のファクシミリ装置。
【請求項７】
上記制御手段が、上記音信号の中に上記ファクシミリ制御信号が含まれている場合、上記ファクシミリ制御信号検出手段の検出結果を一時的に廃棄ことを特徴とする請求項５又は６に記載のファクシミリ装置。
【請求項８】
音を捕捉して音信号として出力する音捕捉手段と、
上記音捕捉手段から出力される上記音信号に対して、所定の周波数帯域成分を阻止する帯域阻止フィルタ手段と、
上記音捕捉手段から出力される上記音信号及び上記帯域阻止フィルタ手段から出力される帯域阻止出力信号に基づいて、上記音捕捉手段からの上記音信号の中にファクシミリ制御信号が背景的に含まれていることを検出する信号検出手段と、
着信信号からファクシミリ制御信号を検出するファクシミリ制御信号検出手段と、
上記信号検出手段の検出結果に応じて、上記ファクシミリ制御信号検出手段の動作を制御する制御手段と
を備えることを特徴とするファクシミリ装置。
【請求項９】
上記信号検出手段が、上記音捕捉手段からの上記音信号に上記ファクシミリ制御信号を検出し、かつ、上記帯域阻止フィルタ手段の入力信号レベル及び出力信号レベルに基づく入出力信号レベル比が閾値を超えている場合、上記音信号の中に上記ファクシミリ制御信号が含まれていると判断することを特徴とする請求項８に記載のファクシミリ装置。
【請求項１０】
上記制御手段が、上記音信号の中に上記ファクシミリ制御信号が含まれている場合、上記ファクシミリ制御信号検出手段の検出結果を一時的に廃棄することを特徴とする請求項８又は９に記載のファクシミリ装置。
【発明の詳細な説明】
【技術分野】
【０００１】
本発明は、ファクシミリ装置に関し、特に、電話機能を備えたファクシミリ装置に適用し得るものである。
【背景技術】
【０００２】
近年、ファクシミリ装置（以後、ＦＡＸ装置ともいう）、特に、家庭用ファクシミリ装置は、留守番電話機能を備えたものがほとんどである。留守番電話機能を備えたファクシミリ装置は、通信の冒頭に呼出信号であるＣＮＧ（コーリングトーン）信号を検出することで、音声通信ではなく、ＦＡＸ通信であることを判断している。
【０００３】
従来、留守番電話機能を備えたＦＡＸ装置において、応答メッセージの回り込みで生じたエコー信号が、受信したＣＮＧ信号に混じりこんでしまうことがある。この場合、従来の留守番電話機能を備えたＦＡＸ装置は、この応答メッセージのエコーを完全に分離することができず、ＣＮＧ信号を正しく検出することができないことがある。これは、ＣＮＧ信号の検出を図るために、受信信号を増幅しても、応答メッセージのエコー信号も増幅することとなるからである。
【０００４】
このとき、応答メッセージを送出完了するまでＣＮＧ信号の検出ができないので、応答メッセージがＣＮＧ信号の送出時間より長い場合では、留守番電話機能を作動させている間は、ファクシミリが着信できない事態が発生する。また、応答メッセージがＣＮＧ信号の送出時間より短い場合では、応答メッセージが送出し終えるまで待ってからやっとＣＮＧ信号の検出が可能になり、それからファクシミリ間のデータ通信が始まるので、発信先である相手側は、本来望まない余計な課金が発生してしまう。
【０００５】
特許文献１は、上記のような問題を解決するファクシミリ装置の技術が開示されている。具体的には、応答メッセージの発生中のときには、エコーキャンセラからの音声信号の増幅度を低下させる増幅器を備え、増幅された信号のうち所定レベル以上の信号を検出したとき、これをＣＮＧ信号の検出とする技術が記載されている。その結果、応答メッセージのエコー信号が残留していても、応答メッセージ発生中のＣＮＧ信号を検出することができ、通信相手に余計な可能な限り費用負担をかけないことができる。
【０００６】
ところで、上記のような従来のファクシミリ装置を用いても、以下に示すように、応答メッセージを再生している間、応答メッセージのエコー信号が、依然としてＦＡＸ受信を妨害してしまう問題がある。
【０００７】
応答メッセージのエコーは電話回線の２線４線変換ハイブリッド回路（以後ハイブリッド回路ともいう）で発生し、この応答メッセージのエコー信号が、ファクシミリ装置に戻ってくる。このとき、最悪の場合、エコー信号の信号レベルは、応答メッセージの信号レベルの半分（例えば、６ｄＢ）しか減衰せずに回り込んでくる。
【０００８】
このような電話回線の状態において、信号レベルが非常に低いＣＮＧ信号が遠方から到来すると、信号レベルの低いＣＮＧ信号が、信号レベルの高いエコー信号に埋もれてしまい、ファクシミリ装置においてＣＮＧ信号を検出することができないことがある。これは、ＣＮＧ信号とエコー信号（雑音とみなす）のＳ／Ｎが小さいからである。
【０００９】
この問題に対して、特許文献１に記載の技術を採用し、エコーキャンセラ部の出力レベルを増幅器で増減しても、ＣＮＧ信号とエコー信号とのＳ／Ｎは改善されないから、依然としてＣＮＧ信号の検出が困難となり、結局ＦＡＸの受信ができないという問題点があった。
【００１０】
また、エコーキャンセラ（以後ＥＣともいう）は収束に時間が必要であることが原因でＣＮＧ信号が受信できないという問題点もあった。
【００１１】
つまり、エコーキャンセラは、エコー信号を精密に除去できるようになるまでに学習時間（または収束時間ともいう）を必要とする。学習時間はエコーキャンセラの学習アルゴリズムに依存するが、実現コストが現実的であることから、最もよく使われている公知のＮＬＭＳ法では音声信号を入力にした場合、収束時間は数秒間かかることもある。
【００１２】
都合の悪いことに、ＣＮＧ信号がＦＡＸ装置に入力されるのは通話開始から１秒以内である。つまり、ＦＡＸ装置は、電話機がオフフック（受話器をはずしたと同じ受信状態）するとすぐに、通信相手がＦＡＸ装置なのかそうでないか（例えば、人間）なのかを区別をする必要がある。これは、ＣＮＧ信号の検出を開始して相手側ＦＡＸ装置と通信プロトコルを実行しようとするからである。
【００１３】
このとき、エコーキャンセラには、打ち消すべきエコー信号と透過すべきＣＮＧ信号の両方が混在しているにもかかわらず、エコーキャンセラ自体は、「収束途上」の状態にある。そのため、エコーキャンセラは、混在しているＣＮＧ信号を、消去対象のエコー信号と一緒に消去しようと学習を進行させるため、ＣＮＧ信号は大きく変形されてしまう。
【００１４】
そのため、エコーキャンセラから出力される段階で、すでに、ＣＮＧ信号は検出困難な形状に変形されてしまうことがあり、ＦＡＸ受信が失敗してしまうという問題が生じ得る。
【００１５】
この問題に対して、特許文献２に記載の技術を適用することができる。特許文献２には、音声応答マシンの出力信号、例えば留守番電話の応答メッセージに対して、予め帯域阻止フィルタをかけて、ＣＮＧ信号の周波数成分を除去し、音声信号がエコー発生源で反射されても、ＣＮＧ信号の周波数成分だけはエコーが反射してこないようにして、遠方から到来するＣＮＧ信号を妨害しないようにする技術である。
【００１６】
そこで、特許文献２の技術を特許文献１の技術とあわせて用いれば、エコーキャンセラの収束によらずにＦＡＸを受信できる受信機を構成し得る。
【００１７】
【特許文献１】特開２００６−２８７７７６号公報
【特許文献２】特開平６−２８４０４５号公報
【発明の開示】
【発明が解決しようとする課題】
【００１８】
しかしながら、上述した従来技術を用いたとしても、以下に示すような問題が生じ得る。
【００１９】
（１）問題点１；音声応答の違和感の解消
まず、応答メッセージの音質が低いために、遠端者に不快感を与えていることがある。そこで、遠端者に与え得る違和感を解消することが求められている。
【００２０】
近年、ＩＰ電話技術の普及に伴い、従来の電話の音質を凌駕する音質の良い通話が実用に供されている。近年のＩＰ電話装置は、従来の電話装置よりも、２倍又はそれ以上の周波数帯域で音声信号をやり取りできるようになっているからである。このような電話に慣れ親しんだ利用者は高い音質に慣れているから、わずかな音質の違和感にも敏感に反応し、不快感を持つ場合がある。
【００２１】
ところが、特許文献１の記載技術に特許文献２の記載技術をそのまま導入すると、応答メッセージに帯域阻止フィルタ処理を施すことになるので、遠端から電話を掛けてきた利用者には違和感が生じる。
【００２２】
さらに、近年では、留守番電話機に応答メッセージのほかに、予め伝言メッセージなどを入れておき、相手側に暗証番号などを入力させてから、伝言メッセージを聞かせる伝言機能などを持つ電話機も多い。この場合、伝言メッセージまでもが帯域阻止フィルタで処理された音声になるため、遠端の利用者は相当の長時間にわたって違和感のある音声を聞くことになり、不快であった。伝言機能以外であっても、電話機の高機能化にともなって、留守番電話モード中にさまざまなボタン操作を要求する場合があり、これらのメッセージもやはり帯域阻止フィルタの影響を受けるものであるから遠端の利用者は相当の長時間にわたって違和感のある音声を聞くことになり、不快であった。
【００２３】
（２）問題点２；近傍の別装置の存在に基づく誤動作の解消
次に、近傍に別のＦＡＸ装置が存在する場合に、その別のＦＡＸ装置のＦＡＸ通信音（ＣＮＧ通信音）により誤作動し、ＦＡＸ通信が開始したり、会話が強制的に打ち切られたり、ＦＡＸ信号の不快な音を聞かされたりする場合がある。そこで、このような近傍の別装置の存在に基づく誤作動を解消することが求められている。
【００２４】
この問題点の理解については、詳しい説明が必要であるので、図２を参照しながら説明する。図２は、従来の留守番電話機能を備えたファクシミリ装置の内部構成を示す構成図である。
【００２５】
図２において、スイッチ５１は、初期状態で端子ｂに接続されているものとする。また、近傍の別のＦＡＸ装置４８が存在しており、このＦＡＸ装置４８はＦＡＸ通信音を発生するよう設定されているものとする。また、マイクロホン４７は、図示しないアナログ−ディジタル変換器を内蔵しているものとする。
【００２６】
（ａ）ＦＡＸ通信が着信した場合
この場合、問題は発生しない。
【００２７】
図２において、ＦＡＸ通信の着信があった場合、遠端からＣＮＧ信号が到来すると、ＣＮＧ信号は、ハイブリッド回路４２及びＡ／Ｄ５６を介して、エコーキャンセラ４５に入力する。
【００２８】
このとき、制御部５０は、留守番モードに設定されており、かつ、一定時間オフフックがない場合には、回線をつなぎ、応答メッセージを再生する。
【００２９】
そうすると、応答メッセージは、Ｄ／Ａ４４によりアナログ信号になり、ハイブリッド回路４２で一部信号が反射されて、エコーとしてＡ／Ｄ５６に回り込み、エコーとＣＮＧ信号はＣＮＧ検出部５３に出力される。
【００３０】
しかし、ＣＮＧ検出部５３では、ＣＮＧ信号にエコーが混在していても、既存の技術を用いてＣＮＧ信号を検出することができるので、従来と同様に、ＦＡＸ通信を開始させることができる。
【００３１】
（ｂ）通常の話者から着信した場合
この場合、後述する条件に応じて、問題が発生する場合と発生しない場合がある。
【００３２】
（ｂ−１）留守モードが「留守番電話モード」のとき
このとき、問題は発生しない。
【００３３】
遠端から着信があった場合でも、留守番電話モードのときには、マイクロホン４７が音声を捕捉することはないので、別のＦＡＸ装置のＦＡＸ通信音を捕捉することはない。従って、このときには、問題は発生しない。
【００３４】
（ｂ−２）留守モードが「在席モード（すなわち留守モード解除）」のとき
このとき、問題が発生する。
【００３５】
留守モードが解除されているとき、近端話者が会話を行なうので、マイクロホン４７は、近端話者の音声を捕捉する。このとき、マイクロホン４７は、近傍の別のＦＡＸ装置４８のスピーカからＦＡＸ通信音（ＣＮＧ信号音）を発生させている場合、このＦＡＸ通信音が、マイクロホン４７に捕捉され、Ｄ／Ａ４４及びハイブリッド回路４２を経由して、Ａ／Ｄ５６に与えられる。
【００３６】
Ａ／Ｄ５６の出力はエコーキャンセラ４５に与えられるが、エコーキャンセラ４５の収束が十分に進んでいない「通話初期」のときには、別のＦＡＸ装置４８のＦＡＸ通信音（ＣＮＧ信号）がそのままＢＰＦ５４を経由してＣＮＧ検出部５３に到達してしまう。
【００３７】
その結果、別のＦＡＸ装置４８のＣＮＧ信号又はＣＮＧ信号を含む信号は、ＣＮＧ検出部５３により検出されてしまう。このとき、ＣＮＧ検出部５３の精度が高い場合にはなおさらである。
【００３８】
また、近年のＦＡＸ装置は、電話機と一体となっているものも多く、手動によるＦＡＸ受信を可能にするため、留守モードの設定状態に関わりなく、ＣＮＧ信号の検出後は、ＦＡＸ動作が強制的に開始するようになっているものが多い。つまり、近端話者が通話をしているにも拘らず、別のＦＡＸ装置４８の出した音に基づいて、間違ってＣＮＧ信号検出を行なってしまい、ＦＡＸ受信シーケンスモードに変わり、話者同士の会話が寸断され、強制的にＦＡＸ送受信シーケンスが始まってしまう。
【００３９】
さらに、遠端側のＦＡＸ装置の付近に別のＦＡＸ装置が存在している場合には、遠端の別のＦＡＸ装置と相互にＦＡＸ送受信プロトコルのやり取りが発生してしまうので、受話器で音を聞いている話者に対して、遠端側のＦＡＸ装置はプロトコルに準じたＦＡＸプロトコル信号を送りつけてくる。実際は話者同士が音声で会話をしようとしていたのだから、ＦＡＸ装置がお互いに送受信を成功させることはなく、最終的には一定時間の送受信手順のやり取りを失敗したあと、電話回線を開放（呼を切断）してしまうことも稀ではない。
【００４０】
以上より、本発明は、音声応答の不快感を解消することができ、近傍の別のＦＡＸ装置の存在に基づく誤動作を解消することができるファクシミリ装置を提供するものである。
【課題を解決するための手段】
【００４１】
かかる課題を解決するために、第１の本発明のファクシミリ装置は、（１）予め設定された応答メッセージ信号を再生出力する応答メッセージ再生手段と、（２）応答メッセージ再生手段から再生出力される応答メッセージ信号に対して、所定の周波数帯域成分を阻止する帯域阻止フィルタ手段と、（３）応答メッセージ再生手段から再生出力される応答メッセージ信号を透過する透過フィルタ手段と、（４）帯域阻止フィルタ手段からの帯域阻止出力信号及び透過フィルタ手段からの透過出力信号のそれぞれの振幅を調整し、調整後の帯域阻止出力信号及び透過出力信号を加算して出力する重み調整手段と、（５）着信信号からファクシミリ制御信号を検出するファクシミリ制御信号検出手段と、（６）所定のファクシミリ処理を制御するファクシミリ処理制御手段と、（７）受信音声メッセージを録音する受信メッセージ録音手段と、（８）応答メッセージ再生手段の応答メッセージ信号の再生出力後、ファクシミリ制御信号検出手段のファクシミリ制御信号検出結果に応じて、ファクシミリ処理制御手段と受信メッセージ録音手段との切替制御を行う制御手段とを備えることを特徴とする。
【００４２】
第２の本発明のファクシミリ装置は、（１）音を捕捉して音信号として出力する音捕捉手段と、（２）音捕捉手段から出力される音信号に対して、所定の周波数帯域成分を阻止する帯域阻止フィルタ手段と、（３）音捕捉手段から出力される音信号及び帯域阻止フィルタ手段から出力される帯域阻止出力信号に基づいて、音捕捉手段からの音信号の中にファクシミリ制御信号が背景的に含まれていることを検出する信号検出手段と、（４）着信信号からファクシミリ制御信号を検出するファクシミリ制御信号検出手段と、（５）信号検出手段の検出結果に応じて、ファクシミリ制御信号検出手段の動作を制御する制御手段とを備えることを特徴とする。
【発明の効果】
【００４３】
本発明によれば、音声応答の不快感を解消することができ、近傍の別のＦＡＸ装置の存在に基づく誤動作を解消することができる。
【発明を実施するための最良の形態】
【００４４】
（Ａ）第１の実施形態
以下、本発明のファクシミリ装置の第１の実施形態を、図面を参照しながら詳細に説明する。
【００４５】
第１の実施形態は、留守番電話機能を備えたファクシミリ装置に、本発明を適用した場合を例示して説明する。
【００４６】
第１の実施形態は、遠端から着信があったときに、遠端話者が聞くことになる音声応答（留守録促しメッセージ音声）を自然な聴感にして送信する場合の適用である。
【００４７】
（Ａ−１）第１の実施形態の構成
図１は、第１の実施形態のファクシミリ装置の内部構成を示す構成図である。図１において、第１の実施形態のファクシミリ装置１Ａは、２線４線変換ハイブリッド回路（以後ハイブリッド回路ともいう）２、ＦＡＸ部３、ディジタル−アナログ変換器（以後、Ｄ／Ａともいう）４、帯域阻止フィルタ部（以後ＢＥＦともいう）５、応答メッセージ再生部６、エコーキャンセラ７、制御部８、受信メッセージ録音部９、スイッチ１０、ＣＮＧ検出部１１、帯域通過フィルタ部（以後ＢＰＦともいう）１２、エコー打消し加算器１３、アナログ−ディジタル変換器（以後単にＡ／Ｄともいう）１４、重み調整部１５、透過信号振幅調整器１６、ＢＥＦ出力信号振幅調整器１７、透過フィルタ部２０である。
【００４８】
ＣＮＧ検出部１１の検出出力信号は、図示しない信号線によって制御部８に出力されている。スイッチ１０は初期状態では開放されている。
【００４９】
ハイブリッド回路２は、２線と４線を変換する回路である。ハイブリッド回路２は、送信時には、Ｄ／Ａ４からの出力を取り込み、２線４線変換処理をした信号を電話回線に出力し、また受信時には、電話回線からの信号を取り込み、２線４線変換処理をした信号をＡ／Ｄ１４に出力するものである。さらに、２線４線ハイブリッド回路２は、ＦＡＸ通信の場合には、ＦＡＸ部３と接続し、電話回線とＦＡＸ部３との間でＦＡＸ信号の送受信を行なうものである。
【００５０】
ＦＡＸ部３は、ＦＡＸ通信処理を行なう装置である。ＦＡＸ部３としては、既存のＦＡＸ通信処理を行なう装置を広く適用することができる。
【００５１】
Ｄ／Ａ４は、入力されたディジタル信号をアナログ信号に変換してハイブリッド回路２に出力するものである。Ａ／Ｄ１４は、ハイブリッド回路２から入力されたアナログ信号をディジタル信号に変換してエコーキャンセラ７に出力するものである。
【００５２】
エコーキャンセラ７は、制御部８の制御の下、送信信号及び受信信号を取り込み、所定の生成方法により擬似エコー信号を生成し、エコー打消し加算器１３が受信信号から擬似エコー信号を減算して、エコー成分を除去するものである。エコーキャンセラ７としては、既存のエコーキャンセル技術を広く適用することができる。
【００５３】
制御部８は、留守番電話機能を備えたファクシミリ装置１Ａの機能を司るものである。制御部８は、ＣＮＧ検出部１１がＣＮＧ信号を検出した場合には、当該通信がＦＡＸ通信であるものと判断し、ＦＡＸ部３に対してＦＡＸ処理の開始を指示するものである。
【００５４】
また、制御部８は、ＣＮＧ検出部１１がＣＮＧ信号を検出しない場合には、当該通信が音声通信であると判断し、応答メッセージ再生部６の再生制御を行なうと共に、重み調整部１５を制御するものである。なお、この制御部８による重み調整制御処理については、動作の項において詳細に説明する。
【００５５】
受信メッセージ録音部９は、制御部８による留守番電話機能の制御の下、遠端からの音声メッセージを録音するものである。
【００５６】
スイッチ１０は、制御部８の制御の下、ＦＡＸ通信である場合には開放し、音声通信である場合には閉じるスイッチである。これにより、音声通信の場合に、受信メッセージ録音部９との接続を可能にすることができる。
【００５７】
ＣＮＧ検出部１１は、受信信号からＣＮＧ信号を検出するものである。ＣＮＧ信号は、日本の場合、１１００Ｈｚの断続トーン信号であり、ＣＮＧ検出部１１は、帯域通過フィルタ部１２からの出力に基づいて、１１００Ｈｚの周波数成分の信号を監視することで、ＣＮＧ信号を検出するものである。また、ＣＮＧ信号を検出すると、ＣＮＧ検出部１１はＣＮＧ信号を検出した旨を制御部８に通知するものである。
【００５８】
帯域通過フィルタ部（ＢＰＦ）１２は、エコーキャンセラ７からの出力を取り込み、所定の周波数帯域成分の信号を通過させるフィルタである。帯域通過フィルタ部１２は、例えば、ＩＩＲ形式（無限インパルス応答形式）フィルタや、ＦＩＲ形式（有限インパルス形式）フィルタなど既存フィルタを適用することができ、通過させる帯域としては、１１００Ｈｚを中心に上下１００Ｈｚ（すなわち、１０００Ｈｚ〜１２００Ｈｚ）の周波数成分を通過させるものとする。勿論、帯域通過フィルタ部１２の種類や、通過周波数帯域は、これに限定されるものではない。
【００５９】
透過フィルタ部２０は、応答メッセージ再生部６から出力される応答メッセージ信号を透過するフィルタである。これにより、透過フィルタ部２０を通過する信号に遅延を与えることができ、帯域阻止フィルタ部５を通過する信号とのタイミングを調整することができる。
【００６０】
帯域阻止フィルタ部（ＢＥＦ）５は、応答メッセージ再生部６からの出力を取り込み、所定の周波数帯域成分の信号を阻止させるフィルタである。帯域阻止フィルタ部５は、例えば、ＩＩＲ形式（無限インパルス応答形式）フィルタや、ＦＩＲ形式（有限インパルス形式）フィルタなど既存フィルタを適用することができ、阻止する周波数帯域としては、１１００Ｈｚを中心に上下１００Ｈｚ（すなわち、１０００Ｈｚ〜１２００Ｈｚ）の周波数成分を阻止するものとする。勿論、帯域阻止フィルタ部５の種類や、阻止する周波数帯域は、これに限定されるものではない。
【００６１】
重み調整部１５は、制御部８の制御の下、透過フィルタ部２０から出力された信号と、帯域阻止フィルタ部５から出力された信号とのそれぞれの信号レベルに後述するような重みを与え、重み付けした後に、それぞれを合算した信号を出力するものである。この重み調整部１５の処理については動作の項で詳細に説明する。
【００６２】
重み調整部１５は、透過信号振幅調整器１６とＢＥＦ出力信号振幅調整器１７とを有する。透過信号振幅調整器１６及びＢＥＦ出力信号振幅調整器１７は、例えば、減衰器や増幅器等から構成されているものであり、制御部８からの制御信号に基づいて、透過フィルタ部２０からの出力信号及び帯域阻止フィルタ部５からの出力信号の振幅を調整するものである。
【００６３】
（Ａ−２）第１の実施形態の動作
第１の実施形態では、遠端からの着信が、ＦＡＸ通信に係るものでなく、通話に係るものであったとき、従来技術よりも、遠方話者が聞くことになる留守録促しメッセージ音声を自然な聴感にするための実施形態である。
【００６４】
以下、図１を用いて第１の実施形態の動作を説明する。なお、スイッチ１０は初期状態では開放であるとする。
【００６５】
第１の実施形態では、遠端からの着信が、ＦＡＸ通信に係るものであるか又は通話に係るものであるのかにより動作が異なるので以下では場合を分けて説明する。
【００６６】
（ａ）ＦＡＸ通信が着信した場合
遠端からの信号が電話回線を通じて到来すると、ファクシミリ装置１Ａでは、制御部８が、図示しない受話器を上げない状態であっても、留守番電話モードに設定されており、かつ、所定時間オフセットがない場合、回線をつなぐ。例えば、第１の実施形態では、１０秒間のオフフックがない場合に、制御部８がファクシミリ装置１Ａを回線につなぐようにする。勿論、この時間は特に限定されるものではない。
【００６７】
次に、制御部８は、応答メッセージの再生を開始する旨を示す再生指示信号を、応答メッセージ再生部６に与える。応答メッセージ再生部６は、制御部８からの再生指示信号を受けて、応答メッセージを再生出力する。このとき、スイッチ１０は開放のままである。
【００６８】
また、制御部８は、エコーキャンセラ７に対して打消中止信号を与える。エコーキャンセラ７は、制御部８から打消中止信号を受けている間、エコーの打消し動作及び学習動作を停止する。
【００６９】
遠端からの着信がＦＡＸ通信であった場合、最初にハイブリッド回路２に入力される信号はＣＮＧ信号である。ここで、ＣＮＧ信号は、一般に断続のあるトーン信号であり、例えば、日本の場合１１００Ｈｚの断続トーン信号である。
【００７０】
ハイブリッド回路２に入力したＣＮＧ信号は、Ａ／Ｄ１４により、アナログ信号からディジタル信号に変換された後、エコーキャンセラ７に入力する。
【００７１】
一方、このとき、既に応答メッセージ再生部６は、留守番電話の応答メッセージを再生している。例えば、メッセージの内容の例としては、録音された人間の音声で、「ただいま、留守にしております。発信音の後に、メッセージを残してください。」があるが、勿論これに限定されるものではない。
【００７２】
応答メッセージ再生部６からの出力は、帯域阻止フィルタ部５及び通過フィルタ２０に与えられる。
【００７３】
帯域阻止フィルタ部５に与えられた信号は、帯域阻止フィルタ部５により１０００Ｈｚ〜１２００Ｈｚの周波数成分が阻止されて重み調整部１５に与えられ、また、通過フィルタ２０に与えられた信号は、通過フィルタ２０により遅延が与えられ、そのまま重み調整部１５に与えられる。
【００７４】
ここで、透過フィルタ部２０は、帯域阻止フィルタ部５から出力される信号とのタイミングを調整するために、入力信号に遅延を加えるものである。従って、通過フィルタ２０が与える遅延は、帯域阻止フィルタ２０に適用するフィルタ種類に応じて適宜調整することができる。
【００７５】
例えば、第１の実施形態では、帯域阻止フィルタ部５としてＦＩＲ形フィルタを適用する場合、透過フィルタ部２０は、帯域阻止フィルタ２０のタップ遅延分サンプリング時間（又はその半分の時間）の遅延を与えるようにする。
【００７６】
なお、透過フィルタ部２０は、タイミング調整に寄与することができればよいので、帯域阻止フィルタ部５としてＩＩＲ形フィルタを適用した場合や、ＦＩＲ形フィルタとした場合でも、タップ数が短く、音声遅延が気にならない程度の次数であれば、透過フィルタ部２０を設けなくてもよい。
【００７７】
透過フィルタ部２０からの出力及び帯域阻止フィルタ部５からの出力は、重み調整部１５に与えられる。
【００７８】
重み調整部１５には、制御部８から後述する重み調整開始信号ＳＴ＿Ｗが入力される。この重み調整開始信号ＳＴ＿Ｗは、透過フィルタ部２０からの出力と帯域阻止フィルタ部５からの出力とを合算する際に、透過フィルタ部２０からの出力と帯域阻止フィルタ部５からの出力とのそれぞれの出力レベルに対して重み付けを加える開始信号である。
【００７９】
この詳しくは後述するが、重み調整開始信号ＳＴ＿Ｗは、応答メッセージ再生部６が再生出力する時点を開始時点とし、その後ＣＮＧ検出部１１によるＣＮＧ信号の検出に十分な時間だけ、帯域阻止フィルタ部５の出力が優先されるような重み付けがなされるような制御信号である。
【００８０】
重み調整部１５において、透過フィルタ部２０からの出力は透過信号振幅調整器１６に与えられ、帯域阻止フィルタ部５からの出力はＢＥＦ出力信号振幅調整器１７に与えられる。そして、それぞれの信号は、透過信号振幅調整器１６及びＢＥＦ出力信号調整器１７により振幅レベルが調整され合算されて、Ｄ／Ａ４に出力される。
【００８１】
Ｄ／Ａ４に与えられた信号は、Ｄ／Ａ４によりアナログ変換されてアナログ信号になり、ハイブリッド回路２で一部信号が反射されて、エコーとして回り込み、Ａ／Ｄ１４に入力される。つまり、Ａ／Ｄ１４には、ＣＮＧ信号とエコー信号が入力する。
【００８２】
Ａ／Ｄ１４に与えられた信号は、Ａ／Ｄ１４によりディジタル変換されてディジタル信号になり、スイッチ１０及び帯域通過フィルタ部１２に与えられる。このとき、スイッチ１０は開放である。
【００８３】
また、Ａ／Ｄ１４からの出力が帯域通過フィルタ部１２に与えられると、所定の周波数成分が通過して、所定の周波数成分がＣＮＧ検出部１１に与えられる。
【００８４】
ここで、帯域通過フィルタ部１２は、具体的には、帯域阻止フィルタ部５で除去した周波数成分に相当する周波数成分を通過させる特性を持つディジタルフィルタであり、ＦＩＲ圭フィルタやＩＩＲ形フィルタを適用することができる。これにより、１１００Ｈｚを中心に上下１００Ｈｚの周波数成分（すなわち１０００Ｈｚ〜１２００Ｈｚの周波数成分）を通過させることができる。
【００８５】
帯域通過フィルタ部１２からの出力がＣＮＧ検出部１１に与えられると、ＣＮＧ検出部１１は、帯域通過フィルタ部１２からの出力に基づいてＣＮＧ信号を検出することができる。
【００８６】
つまり、帯域通過フィルタ部１２に入力する信号はエコー信号及びＣＮＧ信号であるが、このエコー信号は、応答メッセージのうち帯域阻止フィルタ部５により所定の周波数成分、すなわちＣＮＧ信号と合致する周波数成分（１０００Ｈｚ〜１２００Ｈｚ）を除去された信号である。また、帯域通過フィルタ部１２では、所定の周波数成分（１０００Ｈｚ〜１２００Ｈｚ）のみが通過する。従って、ＣＮＧ検出部１１に入力する信号は、応答メッセージの信号成分が含まれておらず、遠端から到来したＣＮＧ信号の信号成分だけである。
【００８７】
ここで、ＣＮＧ検出部１１によるＣＮＧ検出方法として、例えば、単純に帯域通過フィルタ部１２からの出力レベルについて、例えば２０ｍｓ毎の出力レベル変化を計算する。そして、その出力レベル差が、例えば６ｄＢ以上の増幅が発生するたびに検出レベル計算処理を開始し、例えば５ｄＢの減衰があると検出レベル計算処理を停止する。以後、検出時間が一定累積時間まで検出レベルの変動がなく（例えば、累積時間として２秒に達するまでの間で±２ｄＢ以上の検出レベルの変動がなく）、かつ、各々の単独検出時のレベル及び処理期間中のレベルが所定のレベル（例えば、−２０ｄＢｍ０）を超える値であれば、ＣＮＧ検出部１１は「ＣＮＧ信号あり」と判定する。勿論、ＣＮＧ信号の検出方法は、特に限定されるものではなく、他の既存技術を広く適用するようにしてもよい。また、日本国内の場合、ＣＮＧ信号は０．５秒のイネーブル期間と３秒のディセーブル期間が交互に繰り返されるので、４周期分のＣＮＧが到来すれば、イネーブル期間の累積として２秒分のＣＮＧレベル計算（ぶれ判定）とＣＮＧ検出が完了することになる。
【００８８】
ＣＮＧ検出部１１がＣＮＧ信号を検出すると、ＣＮＧ検出部１１は、「ＣＮＧ信号あり」を示す旨を制御部８に通知する。そして、応答メッセージ再生部６が再生出力している間に、ＣＮＧ検出部１１から「ＣＮＧ信号あり」が通知されると、制御部８は、ＦＡＸ部３に対してＦＡＸ受信動作を開始させる信号を出力する。
【００８９】
このとき、制御部８は、スイッチ１０を開放のままにし、図示しない信号線を介して、ＦＡＸ部３に対してＦＡＸ受信動作を開始させる。また、制御部８は、エコーキャンセラ７に対して、エコー打消し動作を指示してもよいし、又エコー打消し動作を指示しないようにしてもよい。
【００９０】
一方、応答メッセージ再生部６が再生出力している間に、ＣＮＧ検出部１１から「ＣＮＧ信号あり」が通知されないとき、制御部８は、遠端からの信号は音声信号であるとみなし、スイッチを閉じて、受信メッセージ録音部９に信号を通過させる。これにより、受信メッセージ録音部９は信号が入力されたときには録音を開始する。
【００９１】
以上のように、第１の実施形態では、ＣＮＧ信号の周波数帯域成分を除去する帯域阻止フィルタを応答メッセージ再生部とＤ／Ａとの間に設けることで、エコー源信号からＣＮＧ信号成分である１１００Ｈｚを除去することができるので、ＣＮＧ検出部１１は純粋に遠端からのＣＮＧ信号だけに反応できるようになり、音声メッセージのエコーによってＣＮＧ検出器が誤動作してしまい、ＦＡＸ受信ができなくなることがないのである。
【００９２】
（ｂ）通常の話者からの着信があった場合
次に、図示しない遠端からの着信が、遠端話者の音声信号である場合の動作を説明する。
【００９３】
遠端からの信号が電話回線を通じて到来すると、ファクシミリ装置１Ａでは、制御部８が、図示しない受話器を上げない状態であっても、留守番電話モードに設定されており、かつ、所定時間オフセットがない場合、回線をつなぐ。例えば、第１の実施形態では、１０秒間のオフフックがない場合に、制御部８がファクシミリ装置１Ａを回線につなぐようにする。勿論、この時間は特に限定されるものではない。次に、制御部８は、応答メッセージの再生を開始する旨を示す再生指示信号を、応答メッセージ再生部６に与える。応答メッセージ再生部６は、制御部８からの再生指示信号を受けて、応答メッセージを再生出力する。このとき、スイッチ１０は開放のままである。また、制御部８は、エコーキャンセラ７に対して打消中止信号を与える。エコーキャンセラ７は、制御部８から打消中止信号を受けている間、エコーの打消し動作及び学習動作を停止する。
【００９４】
遠端からの着信が音声であるとき、遠端話者の音声信号が、Ａ／Ｄ１４を経由し、帯域通過フィルタ部１２に入力される。そして、帯域通過フィルタ１を通過することにより、所定の周波数成分（１０００Ｈｚ〜１２００Ｈｚ）が除去された信号が、ＣＮＧ検出部１１に与えられる。
【００９５】
このとき、ＣＮＧ検出部１１では、帯域通過フィルタ部１２からの出力信号に基づいて、音声信号であることを認識する。これは、帯域通過フィルタ部１２に入力するエコー信号と遠端からの到来信号とは共に音声信号であるから、帯域通過フィルタ部１２を通過する信号のパワーは時間と伴って大きく揺らぐものである。従って、ＣＮＧ検出部１１は、一定時間信号レベルがぶれないＣＮＧ信号（１１００Ｈｚトーン信号）と容易に区別することができる。
【００９６】
ＣＮＧ検出部１１により当該着信が音声信号であると認識されると、ＣＮＧ検出部１１では、ＣＮＧ信号であるとの検出を行なわない。そうすると、応答メッセージ再生部６の再生出力の間に、「ＣＮＧ信号あり」の旨の通知はされないので、制御部８は、スイッチ１０を閉じ、受信メッセージ録音部９に信号を通過させる。そして、受信メッセージ録音部９は、音声信号が入力されたときに、留守番メッセージを録音する。
【００９７】
以上は、全体的な動作である。続いて、制御部８の詳細な動作について説明する。
【００９８】
制御部８は、着呼の後、留守番メッセージの再生制御を行なうと共に、重み調整部１５に重み調整開始信号ＳＴ＿Ｗを出力する。
【００９９】
重み調整部１５では、制御部８からの重み調整開始信号ＳＴ＿Ｗに基づいて、透過フィルタ部２０からの出力及び帯域阻止フィルタ部５からの出力に対して重み付けをする。
【０１００】
ここで、図３は、重み調整部１５の内部構成を説明する構成図である。図３に示すように、重み調整部１５は、透過フィルタ部２０からの出力を取り入れる透過信号振幅調整器１６、帯域阻止フィルタ部５からの出力を取り入れるＢＥＦ出力信号振幅調整器１７、透過信号振幅調整器１６からの出力とＢＥＦ出力信号振幅調整器１７からの出力とを合算する加算部１８と、制御部８からの重み調整開始信号ＳＴ＿Ｗに基づいて、透過信号振幅調整器１６及びＢＥＦ出力信号振幅調整器１７に対して重み係数を生成する係数発生部１９とを有して構成される。
【０１０１】
図３において、透過信号振幅調整器１６及びＢＥＦ出力信号振幅調整器１７は、乗算器を表現しているが、両者とも後述するように、乗算係数と一体で可変減衰器を適用することができる。
【０１０２】
重み調整部１５において、制御部８からの重み調整開始信号ＳＴ＿Ｗが係数発生部１９に与えられると、係数発生部１９は、ＢＥＦ出力信号振幅調整器１７に対する第１の係数δを発生すると共に、透過信号振幅調整器１６に対する第２の係数δ２を発生する。なお、δ２＝１．０−δとする。
【０１０３】
係数発生部１９は、重み係数δ及びδ２の変化関係が予め設定されており、重み調整開始信号ＳＴ＿Ｗを受け取ると、この重み係数δ及びδ２の変化関係に従って、重み係数δ及びδ２を変化させながら発生させるものである。
【０１０４】
ここで、係数発生部１９が生成する第１の係数δと第２の係数δ２との間の関係を図４に示す。
【０１０５】
第１の実施形態では、係数発生部１９は、図４（Ａ）に示す関係の係数δ及びδ２を正整する。すなわち、係数発生部１９は、重み調整開始信号ＳＴ＿Ｗが入力されてから、一定時間の間（例えば、２秒間）、δ（＝１．０）及びδ２（＝０．０）の値を固定する。係数δを固定する時間は、ＣＮＧ検出部１１がＣＮＧ信号を検出するのに、十分な時間を設定できれば、特に制限されるものではない。
【０１０６】
そうすると、ＢＥＦ出力信号振幅調整器１７では、一定時間の間（例えば、２秒間）、帯域阻止フィルタ部５からの出力信号に対して第１の係数δを乗算して加算器１８に出力し、また、透過信号振幅調整器１６では、一定時間の間（例えば、２秒間）、透過フィルタ部２０からの出力信号に対して第２の係数δ２を乗算して加算器１８に出力する。これにより、一定時間の間（例えば、２秒間）は、重み調整部１５からの出力は、帯域阻止フィルタ部５からの出力信号だけとなる。
【０１０７】
また、一定時間を経過すると、係数発生部１９が生成する係数δ及びδ２の値が変化していき、帯域阻止フィルタ部５からの出力信号の割合が減っていき、透過フィルタ部２０からの出力信号の割合が増していき、最終的に、透過フィルタ部２０からの出力信号だけが重み調整部１５の出力となる。なお、図４（Ａ）では、重み調整開始信号ＳＴ＿Ｗを受けてからの固定時間を２秒間としたが、この時間は限定されるものではない。
【０１０８】
また、図４（Ａ）は、重み係数δ及びδ２の値を時間に比例して増減する場合を例示したが、図４（Ｂ）のように、所定の固定時間経過後、重み係数δ及びδ２の値について一定関係を保ちながら曲線的に変化させるようにしてもよい。このとき、重み係数δとδ２との加算結果が式（１）のように合計すると常に１．０となるように配分することが望ましい。
【０１０９】
δ＋δ２＝δ＋（１．０−δ）＝１．０    …（１）
図４（Ｂ）のように、重み係数δ及びδ２を曲線的に滑らかに変化させることができるので、所定の固定時間が経過しても、帯域阻止フィルタ部５からの出力を多くすることができる、その結果、この期間のＣＮＧ信号の検出を可能とすることができ、留守番メッセージを自然な音質に回復することができる。
【０１１０】
例えば、遠端から人間が留守番応答メッセージに従い、留守番電話を吹き込む場合のケースであれば、留守番応答メッセージは速やかに自然な音質に回復するのが望ましい。また、近年、ファクシミリ装置が電話機との複合機であることが多い。そのため、応答メッセージの内容が、電話機のボタン押下の説明であったり、ＦＡＸの送信手順の説明であったり、ある程度長いメッセージであることも珍しくない。従来技術では、メッセージ内容を聞き取ること自体はできても、帯域阻止フィルタ部５により帯域阻止された長いメッセージを聞くうちに違和感が生じる場合がある。このような場合に、第１の実施形態では、重み調整部１５が、上記のように重みを変化させることで、冒頭ではＣＮＧ信号を検出しやすいことを優先的にし、時間の進行とともにメッセージの聞きやすさを優先するようにすることができる。
【０１１１】
図５は、係数発生部１９が発生する重み係数の変化関係の変形例を示す図である。図５（Ａ）に示すように、所定の固定時間（図５ではＴ１秒）が経過してからＴ２秒までの間に、重み係数δ及びδ２を直線的に変化させて重み係数δ＝０、δ２＝１．０にする。その後、Ｔ２秒からＴ３秒までの間に、重み係数δ及びδ２を再度直線的に変化させて重み係数を元の状態δ＝１．０、δ２＝０に戻すようにしてもよい。このように、重み係数を再度変化させ、帯域阻止フィルタ部５の出力の割合を多くさせて、ＣＮＧ信号の検出を優先できるようにしてもよい。
【０１１２】
また、図５（Ｂ）に示すように、重み係数δ及びδ２を曲線的に再変化させるようにしてもよい。
【０１１３】
さらに、図示しないが、重み係数δ及びδ２の変化関係について、直線的な変化と曲線的な変化とを組み合わせるようにしてもよい。
【０１１４】
図５（Ａ）、（Ｂ）のように再変化させて、重み係数δ及びδ２を元の状態に戻すことで、例えば、応答メッセージの最後のほうで、「ＦＡＸを手動で送る方は送信ボタンを押してください」など、メッセージの終わりに近い部分でＦＡＸ信号の送信を促す内容の場合でも、ＣＮＧ信号の検出を優先することができる。
【０１１５】
（Ａ−３）第１の実施形態の効果
以上のように、第１の実施形態によれば、応答メッセージからＣＮＧ信号の周波数帯域成分を除去する帯域阻止フィルタを設けることにより、ＣＮＧ信号の周波数帯域成分を有するエコー信号の発生を回避できる。
【０１１６】
また、第１の実施形態によれば、ＣＮＧ検出部の前段に受信信号からＣＮＧ信号の周波数帯域成分を通過させる帯域通過フィルタを更に設けることにより、発生したエコー信号を除去し、遠端から受信したＣＮＧ信号だけをＣＮＧ検出部に通過させることができるので、ＣＮＧ信号の適切な検出ができる。
【０１１７】
さらに、第１の実施形態によれば、重み調整部が、制御部からの制御信号に基づいて、透過フィルタの出力と帯域阻止フィルタの出力との間の重みを調整することができるので、ＣＮＧ信号の適切な検出を可能としながらも、音質のよい自然な音感の応答メッセージを遠端側に送信することができる。
【０１１８】
（Ｂ）第２の実施形態
次に、本発明のファクシミリ装置の第２の実施形態を図面を参照して説明する。
【０１１９】
（Ｂ−１）第２の実施形態の構成
図６は、第２の実施形態のファクシミリ装置の内部構成を示す構成図である。図６において、第２の実施形態のファクシミリ装置１Ｂは、２線４線ハイブリッド回路２、ＦＡＸ部３、Ｄ／Ａ４、帯域阻止フィルタ部５、応答メッセージ再生部６、エコーキャンセラ７、受信メッセージ録音部９、ＣＮＧ検出部１１、帯域通過フィルタ部１２、加算部１３、Ａ／Ｄ１４、制御部２１、スイッチ２２、スイッチ２３、信号検出部２４、加算部２５、マイクロホン２７、を有する。
【０１２０】
図６に示すファクシミリ装置１Ｂの構成要素のうち、図１に示すファクシミリ装置１Ａと対応する構成要素については同一符号を付している。また、第２の実施形態のファクシミリ装置１Ｂは、近傍に別のＦＡＸ装置６が存在しているものとする。
【０１２１】
マイクロホン２７は、通常の電話機能を有するファクシミリ装置が備えるものであり、この実施形態では、特に、図示しないアナログ−ディジタル変換器を内蔵しており、別のＦＡＸ装置２６が発するＦＡＸ通信音を捕捉し得るものである。マイクロホン２７は、Ｄ／Ａ４と加算部２５に接続しており、出力信号をＤ／Ａ４及び加算部２５に与えるものである。
【０１２２】
加算部２５は、入力側として応答メッセージ再生部６及びマイクロホン２７と接続し、出力側として帯域阻止フィルタ部５及び信号検出部２４に接続するものである。
【０１２３】
帯域阻止フィルタ部５は、加算部２５からの出力信号を取り込み、所定の周波数帯域成分の通過を阻止した信号を、スイッチ２３及び信号検出部２４に与えるものである。帯域阻止フィルタ部５が阻止する周波数帯域については、第１の実施形態と同じであるので、ここでの説明を省略する。
【０１２４】
信号検出部２４は、加算部２５からの出力信号を取り込み、ＣＮＧ信号が含まれているか否かを検出するものである。また、信号検出部２４は、帯域阻止フィルタ部５に入力する入力信号レベルと、帯域阻止フィルタ部５から出力する出力信号レベルとに基づいて、帯域阻止フィルタ部５の入出力レベル比を計測するものである。さらに、信号検出部２４は、ＣＮＧ信号が含まれているか否かの検出結果を制御部２１に与えるものである。
【０１２５】
制御部２１は、第２の実施形態のファクシミリ装置１Ｂの機能を司るものである。制御部２１の制御機能については、動作の項で詳細に説明する。
【０１２６】
スイッチ２２は、エコーキャンセラ７からの出力信号を取り込み、制御部２１の制御の下、入力信号をスピーカ２８又は受信メッセージ録音部９に与えるものである。スイッチ２３は、３個の出力端子として端子ａ、端子ｂ及び端子ｃを有している。端子ａは、スピーカ２８に接続するものであり、端子ｂは受信メッセージ録音部９に接続するものであり、端子ｃはＯＦＦ端子である。
【０１２７】
（Ｂ−２）第２の実施形態の動作
次に、第２の実施形態のファクシミリ装置１Ｂにおける動作を説明する。
【０１２８】
（ａ）ＦＡＸ通信が着信した場合
まず、遠端からＦＡＸ通信が着信した場合の動作を説明するが、この場合の動作は、第１の実施形態で説明したので簡単に説明する。
【０１２９】
図６において、スイッチ２２の初期状態は端子ｂに接続しているものとし、スイッチ２３の初期状態は短絡しているものとする。
【０１３０】
遠端から着信があると、制御部２１は、図示しない受話器を上げないオンフック状態であっても、もし電話機が留守番モードに設定されており、かつ、一定時間（例えば、１０秒間）オフフックがない場合、回線をつなぐ。
【０１３１】
次に、制御部２１は、応答メッセージ再生部６に対して応答メッセージの再生開始指示し、これを受けて、応答メッセージ再生部６が応答メッセージを再生出力する。このとき、スイッチ２２は端子ｂに接続のままであり、スイッチ２３は短絡である。
【０１３２】
また、制御部２１は、エコーキャンセラ７に対して打消中止信号を出力する。エコーキャンセラ７は、制御部２１から打消中止信号を受けている間、エコー打消し処理及び学習動作を停止する。
【０１３３】
遠端からＦＡＸ着信があると、ＣＮＧ信号は、ハイブリッド回路２を介してＡ／Ｄ１４に入力する。Ａ／Ｄ１４において、ＣＮＧ信号は、ディジタル信号に変換されて、エコーキャンセラ７に入力する。
【０１３４】
一方、このとき、応答メッセージ再生部６からの応答メッセージは、加算部２５を介して、帯域阻止フィルタ部５に入力し、所定の周波数帯域成分（例えば、１０００Ｈｚ〜１２００Ｈｚ）が除去され、さらにスイッチ２３を介して、ハイブリッド回路２に入力される。
【０１３５】
ハイブリッド回路２において、応答メッセージは反射して、エコー信号がＡ／Ｄに回り込むが、第１の実施形態と同様に、このエコー信号はＣＮＧ信号の周波数成分が取り除かれている。
【０１３６】
そのため、Ａ／Ｄ１４にはＣＮＧ信号及びエコー信号が入力し、ＣＮＧ信号及びエコー信号がエコーキャンセラ７から出力されるが、帯域通過フィルタ部１２によりエコー信号は除去されるので、ＣＮＧ検出部１１はＣＮＧ信号を検出することができる。
【０１３７】
（ｂ）通常の話者からの着信があった場合
次に、遠端話者からの音声信号が着信する場合の動作を説明する。
【０１３８】
この場合も、制御部２１は、図示しない受話器を上げないオンフック状態であっても、もし電話機が留守番モードに設定されており、かつ、一定時間（例えば、１０秒間）オフフックがない場合、回線をつなぐ。次に、制御部２１は、応答メッセージの再生指示信号を出力し、応答メッセージ再生部６が応答メッセージを再生出力する。このとき、スイッチ２２は端子ｂに接続し、スイッチ２３は短絡のままである。
【０１３９】
（ｂ−１）留守モードが設定されている場合
制御部２１は、エコーキャンセラ７に対して打消中止信号を出力する。エコーキャンセラ７は、制御部２１から打消中止信号を受けている間、エコー打消し処理及び学習動作を停止する。
【０１４０】
遠端からの音声信号は、Ａ／Ｄ４及びエコーキャンセラ７を介して、ＣＮＧ検出部１１及びスイッチ２２に与えられる。しかし、ＣＮＧ検出部１１はＣＮＧ信号の検出をしない。
【０１４１】
また、音声信号は、スイッチ２２の端子ｂから出力されて、受信メッセージ録音部９に与えられ、遠端話者の音声が留守番メッセージとして録音される。
【０１４２】
なお、この実施形態では、スイッチ２２が端子ｂに接続する場合を示したが、他の接続状態としてもよい。例えば、スイッチ２２が、端子ａ及び端子ｂに接続するものとすることで、遠端話者の音声を録音すると共に、スピーカ２８から話者音声を同時に出力させるようにしてもよい。
【０１４３】
（ｂ−２）留守モードが解除されている場合
次に、留守モードが解除されている場合のファクシミリ装置１Ｂの動作を説明する。
【０１４４】
この場合、制御部２１は、エコーキャンセラ７に対して打消停止信号を出力しない。従って、エコーキャンセラ７は、制御部２１から打消中止信号を受けていないので、エコー打消し処理及び学習動作を実行する。なお、ここでは、制御部２１が、エコー打消し処理及び学習動作の双方を実行させるようにしたが、他の例として、学習が既に終了している場合や、一旦学習したフィルタ特性をその後何度も利用する場合は、学習動作をせず、エコー打消しだけを実行するようにしてもよい。
【０１４５】
なお、留守モードが解除されている場合に、遠端からＦＡＸ通信の着信があったときは、ＣＮＧ検出部１１がＣＮＧ信号を検出して制御部２１に通知する。そうすると、制御部２１は、スイッチ２２の出力端子を端子Ｃにする切替指示を行うと共に、ＦＡＸ部３に対してＦＡＸ通信を指示する。このようにすることで、遠端からのＦＡＸ通信音はスピーカ２８から出力されないので、留守モードが解除されている場合でも、利用者に不快感を与えずに済む。
【０１４６】
一方、留守モードが解除されている場合に、遠端話者からの音声信号が着信したとき、ＣＮＧ検出部１１によりＣＮＧ信号は検出されない。また、応答メッセージ再生部６から応答メッセージの再生出力がなされていないから、制御部２１は、スイッチ２２の出力端子を端子ａにする切替指示を行なう。これにより、遠端話者の音声をスピーカ２８から放出することができる。このとき、制御部２１は、スイッチ２３の接続を開放するよう指示する。これは、応答メッセージ再生部６から留守録メッセージを送信する必要がないからである。
【０１４７】
このようにして、遠端者と近端者との間で通話が開始される。すなわち、マイクロホン２７は、近端者の音声を捕捉し、その近端者の音声信号を出力する。このとき、マイクロホン２７は、近傍に存在する別のＦＡＸ装置２６のＦＡＸ通信音も捕捉し得る。
【０１４８】
マイクロホン２７からの出力信号は、Ｄ／Ａ４及びハイブリッド回路２を介して、電話回線を通じて遠端側に送信される。また、マイクロホン２７からの出力信号は、加算器２５を介して、帯域阻止フィルタ部５及び信号検出部２４に与えられる。
【０１４９】
信号検出部２４では、加算器２５からの出力信号を入力し、この加算器２５からの出力信号にＣＮＧ信号が含まれているか否かを判断する。この信号検出部２４におけるＣＮＧ信号の検出方法としては、既存のＣＮＧ信号検出方法を適用することができる。例えば、ＣＮＧ信号は断続的なトーン信号であるから、信号検出部２４は、閾値を用いた信号レベルの変動幅に基づいてＣＮＧ信号を検出することができる。
【０１５０】
また、信号検出部２４は、帯域阻止フィルタ部５を通過した出力信号を入力する。そして、信号検出部２４は、帯域阻止フィルタ部５に入力する入力信号の信号レベルと、帯域阻止フィルタ部５から出力する出力信号の信号レベルを計測して、その入出力レベル比を求める。
【０１５１】
そして、信号検出部２４は、ＣＮＧ信号の検出結果及び入出力レベル比の計算結果が、以下の条件を満たしている場合に、マイクロホン２７からＣＮＧ信号音又はこれに類似する信号音が入力されているものと判断し、その旨を制御部２１に通知する。
【０１５２】
条件１：信号検出部２４で「ＣＮＧ信号検出あり」と判断される
条件２：帯域阻止フィルタ部５の入出力レベル比が、入力信号レベル／出力信号レベル≧１２ｄＢである。
【０１５３】
つまり、条件１は、別のＦＡＸ装置２６が発したＦＡＸ通信音（ＣＮＧ信号）そのものを捕捉し、このＣＮＧ信号を検出できた場合を条件とするものである。また、条件２は、帯域阻止フィルタ部５がＣＮＧ信号の周波数帯域成分を除去するものであるから、除去の程度を表すものであり、その周波数帯域成分を除去する前と除去した後の信号レベル比が所定以上であれば、マイクロホン出力の中には相当量の割合でＣＮＧ信号が含まれている成分が多かったことを表している条件である。
【０１５４】
なお、第２の実施形態では、条件２の入出力信号レベル比を判断するために、１２ｄＢとしたが、これに限定されるものでない。信号検出部２４から条件１及び条件２が成立したことを入力された制御部２１は、条件１及び条件２が成立している間、ＣＮＧ検出部１１のＣＮＧ信号検出を無視する。
【０１５５】
また、信号検出部２４において条件１及び条件２を充足するまでの期間、この出力信号がエコー信号として受信側に回り込み、ＣＮＧ検出部１１が誤ってＣＮＧ信号を検出してしまうおそれがある。
【０１５６】
そこで、このＣＮＧ検出部１１の誤動作を回避するために、信号検出部２４において条件１及び条件２の検出に要するまでの初期期間、制御部２１は、ＣＮＧ検出部１１によるＣＮＧ信号を検出しても無視するよう指示するようにしてもよい。
【０１５７】
これにより、制御部２１から指示されている期間、ＣＮＧ検出部１１はＣＮＧ信号の検出を無視するので、近くに別のＦＡＸ装置２６があり、この別のＦＡＸ装置２６からのＣＮＧ信号音を捕捉してしまっても誤動作を防ぐことができる。
【０１５８】
なお、遠端話者と近端話者との間の通話後、遠端からＦＡＸ通信を希望するときには、例えば手動でＦＡＸ送信を実行することができる。このとき、信号検出部２４では当然ＣＮＧ信号の検出はなされないが、ＣＮＧ検出部１１でＣＮＧ信号が検出される。その結果、ＣＮＧ信号の検出後、ＦＡＸ通信を開始することができる。
【０１５９】
その際、送話話者と受話話者でＦＡＸの手動送受信の申し合わせの後、受信側話者がマイクロホン２７を手でふさいだり、マイクロホン２７入力を遮断する図示しないスイッチを開放してマイクロホン２７からの入力を遮断すればより確実にＦＡＸの受信ができるようになるのはいうまでもないことである。
【０１６０】
（Ｂ−３）第２の実施形態の効果
以上のように、第２の実施形態によれば、信号検出部が、マイクロホンからの入力信号と、ＣＮＧ信号の周波数帯域成分を阻止する帯域阻止フィルタ部の出力信号とを監視することで、マイクロホンから別のＦＡＸ装置のＦＡＸ通信音が入力されているか否かを判断することができる。その結果、留守モード解除の場合でも、受信側のＣＮＧ検出部の検出処理を無視することができるので、別のＦＡＸ装置のＦＡＸ通信音による誤作動を防止することができる。
【０１６１】
（Ｃ）第３の実施形態
次に、本発明のファクシミリ装置の第３の実施形態を図面を参照して説明する。
【０１６２】
図７は、第３の実施形態のファクシミリ装置１Ｃの内部構成を示す構成図である。
【０１６３】
図７において、第３の実施形態のファクシミリ装置１Ｃは、２線４線ハイブリッド回路２、ＦＡＸ部３、Ｄ／Ａ４、帯域阻止フィルタ部５、応答メッセージ再生部６、エコーキャンセラ７、受信メッセージ録音部９、ＣＮＧ検出部１１、帯域通過フィルタ部１２、加算器１３、Ａ／Ｄ１４、重み調整部１５、透過フィルタ部２０、スイッチ２２、スイッチ２３、信号検出部２４、マイクロホン２７、制御部３０、加算器４２、を有する。
【０１６４】
第３の実施形態のファクシミリ装置１Ｃは、第１の実施形態の構成と第２の実施形態の構成とを併せ持った構成である。
【０１６５】
第３の実施形態のファクシミリ装置１Ｃでは、制御部３０の機能だけが第１及び第２の実施形態のものと異なる。そこで、制御部３０の機能を中心に説明する。
【０１６６】
制御部３０は、第１の実施形態の制御部８の機能と、第２の実施形態の制御部２１の機能とを併せ持つものであるが、第３の実施形態では、第１の実施形態でいうスイッチ１０が存在せず、代わりにスイッチ２２を制御する点が異なる。すなわち、制御部３０は、第１の実施形態の制御部８がスイッチ１０を開放する動作の代わりに、スイッチ２２を端子ｃに接続する（実質は開放と同じである）。そのほかに関しては、第１の実施形態の制御部８、第２の実施形態の制御部２１と同じである。
【０１６７】
そのほかの動作に関しては、重み調整部１５に対しては第１の実施形態と同様に動作し、スイッチ２２、スイッチ２３、メッセージ再生部６、エコーキャンセラ７に対しては第２の実施形態と同様に動作するのでここで改めて詳しくは説明しない。
【０１６８】
以上のように、第３の実施形態によれば、第１及び第２の実施形態の構成を備えることで、第１及び第２の実施形態の効果を得ることができる。
【０１６９】
（Ｄ）他の実施形態
以上、本発明の第１〜第３の実施形態ではファクシミリ制御信号としてＣＮＧ信号を代表例として説明してきたが、必要に応じてＣＮＧ信号以外の制御信号を検出するようにしてもよい。
【０１７０】
たとえば、ＦＡＸ通信におけるプロトコル手順のなかの信号を検出するようにしてもよい。
【０１７１】
また、本発明では音声以外の信号としてファクシミリ制御信号とＦＡＸ装置での音声応答不具合の改善を説明してきたが、音声と音声以外の制御信号の混入による同様の検出不具合を改善するためであれば、たとえばＦＡＸ以外にも遠端話者が遠方から行うプッシュボタン式音声応答ガイダンス装置、たとえば音声ガイダンス自動チケット予約装置などにも用いることができるのはもちろんことである。
【０１７２】
本発明の第１〜第３の実施形態ではフィルタによって周波数の阻止や、通過を選択するようにしたが、公知のＦＦＴ（フーリエ変換）、逆ＦＦＴを用いて周波数の阻止や、通過を選択するようにしてもよい。
【０１７３】
第１の実施形態では、重み調整部１５の内部には透過信号振幅調整器１６とＢＰＦ出力信号振幅調整器１７（両方とも実際には減衰器または増幅器で構成される）が設けられて、おのおのの重みによって周波数阻止の強さが変わるようにしたが、重み調整部１５をただ１つの可変係数式ディジタルフィルタ（図示しない）で構成し、当該フィルタ係数の特性を図１のＢＥＦ５の係数（帯域阻止フィルタ）から初めて、透過フィルタ部２０のフィルタ係数（順遅延）に変化していくように構成してもよい。
【０１７４】
第２、第３の実施形態では通常電話機で通話の切断が発生する例を述べたが、ハンズフリー通話ができるスピーカフォンやソフトフォンであってもよい。
【０１７５】
第１〜第３の実施形態で、設計の都合で支障なければ必ずしもスイッチ２２、４３の初期状態は実施形態で示したどおりでなく、広く適用できる。
【０１７６】
第２の実施形態で、留守番モードのとき、スイッチ２３を閉じるようにしたが、遠端からＣＮＧ信号を検出したあとは、スイッチ２２を開放して信号を完全に遮断し、エコーが戻ってくるのを防止するようにしてもよい。
【図面の簡単な説明】
【０１７７】
【図１】第１の実施形態のファクシミリ装置の内部構成を示す構成図である。
【図２】従来のファクシミリ装置の内部構成を示す構成図である。
【図３】第１の実施形態の重み調整部の内部構成を示す構成図である。
【図４】第１の実施形態の係数発生部１９による重み係数の調整方法を説明する説明図である。
【図５】第１の実施形態の係数発生部１９による重み係数の調整方法を説明する説明図である。
【図６】第２の実施形態のファクシミリ装置の内部構成を示す構成図である。
【図７】第３の実施形態のファクシミリ装置の内部構成を示す構成図である。
【符号の説明】
【０１７８】
１Ａ、１Ｂ、１Ｃ・・・ファクシミリ装置、２…２線４線ハイブリッド回路、３…ＦＡＸ部、４…Ｄ／Ａ（ディジタル−アナログ変換器）、５…帯域阻止フィルタ部、６…応答メッセージ再生部、７…エコーキャンセラ部（ＥＣ）、８、２１、３０…制御部、９…受信メッセージ録音部、１０…スイッチ、１１…ＣＮＧ検出部、１２…帯域通過フィルタ部、１４…Ａ／Ｄ（アナログ−ディジタル変換器）、１５…重み調整部、１６…透過信号振幅調整器、１７…ＢＥＦ出力信号振幅調整器、１８…加算器、１９…係数発生部、２０…透過フィルタ部、２２…スイッチ、２３…スイッチ、２４…信号検出部、２５…加算器、２７…マイクロホン、２８…スピーカ、４２…加算器。
【図１】
2009033339.tif 000003
【図２】
2009033339.tif 000004
【図３】
2009033339.tif 000005
【図４】
2009033339.tif 000006
【図５】
2009033339.tif 000007
【図６】
2009033339.tif 000008
【図７】
2009033339.tif 000009